(57)【要約】【課題】  踵の装飾性に優れる靴であって、歩くたびに装飾の立体模様が変化し、それによって外観が変化する靴を提供する。【解決手段】  つま先側は相対的に低く、踵側は相対的に高くなるように傾斜した靴底１１を備えた靴１であって、靴底１１の下面には、踵側を相対的に高く支持する踵部材２１が固定されており、踵部材２１は、中空部２３を有する少なくとも一部が透明な部材であり、中空部２３には、複数の装飾部材３１が可動自在に封入されており、装飾部材３１が動き、その配置が変化することによって、装飾部材３１によって構成される立体模様が変化し得ることを特徴とする靴１である。【選択図】  図４
2007185353.tif 000002
【特許請求の範囲】
【請求項１】
つま先側は相対的に低く、踵側は相対的に高くなるように傾斜した靴底を備えた靴であって、
前記靴底の下面には、踵側を相対的に高く支持する踵部材が固定されており、
前記踵部材は、中空部を有する少なくとも一部が透明な部材であり、
前記中空部には、複数の装飾部材が可動自在に封入されており、
前記装飾部材が動き、その配置が変化することによって、前記装飾部材によって構成される立体模様が変化し得ることを特徴とする靴。
【請求項２】
請求項１に記載の靴であって、
前記踵部材は、前記靴の前後方向に沿うように形成されており、前記踵部材のつま先側は相対的に薄く、踵側になるにしたがって相対的に厚くなっていることを特徴とする靴。
【請求項３】
請求項１または請求項２に記載の靴であって、
前記踵部材の上部には、前記中空部に連続する開口部が設けられており、
前記開口部の縁は、前記靴底の下面に接着されており、前記靴底により前記開口部が塞がれていることを特徴とする靴。
【請求項４】
請求項１から請求項３までのいずれか１項に記載の靴であって、
前記装飾部材は、有色な芯部と、前記芯部を覆う透明な表皮部とからなる粒状体であることを特徴とする靴。
【請求項５】
請求項４に記載の靴であって、
前記複数の装飾部材は、異なる色の芯部の装飾部材をも含むことを特徴とする靴。
【請求項６】
請求項４または請求項５に記載の靴であって、
前記表皮部の外形が多面体であることを特徴とする靴。
【発明の詳細な説明】
【技術分野】
【０００１】
本発明は、踵部の装飾性に優れる靴に係り、特に、歩くたびに踵部の装飾の立体模様が変化する靴に係る。
【背景技術】
【０００２】
従前、靴の装飾は甲部に施されることが多かった。その一方で、他のものとは外観の異なる独自性に優れたものを所望する消費者のニーズに鑑みて、踵部に装飾を有する靴類も提案されている。踵部に装飾を有する靴としては、例えば、特許文献１には、透明な踵部内に装飾品を封入した靴が開示されている。このような装飾は、踵部分に装飾品を作りつけたことにとどまっており、装飾自体の外観が変化するものではなかった。
【０００３】
【特許文献１】実開平２−１９３０２号公報
【発明の開示】
【発明が解決しようとする課題】
【０００４】
そこで、本発明においては、踵の装飾性に優れる靴であって、靴を履いた人が歩くたびに装飾の立体模様が変化し、それによって外観が変化する靴を提供することを課題とした。
【課題を解決するための手段】
【０００５】
第１の発明は、つま先側は相対的に低く、踵側は相対的に高くなるように傾斜した靴底を備えた靴であって、前記靴底の下面には、踵側を相対的に高く支持する踵部材が固定されており、前記踵部材は、中空部を有する少なくとも一部が透明な部材であり、前記中空部には、複数の装飾部材が可動自在に封入されており、前記装飾部材が動き、その配置が変化することによって、前記装飾部材によって構成される立体模様が変化し得ることを特徴とする靴である。
ここで、靴とは、足を覆い包む形式のいわゆる靴だけでなく、足を覆い包まず甲の部分をバンドや紐で留める、サンダルやミュール等の履物も含む。靴底とは、足を直接支持する中底、及び、地面に接する本底を含み、さらに中底と本底との間に設けられる中間底材を含む。踵部材とは、靴底の踵側を相対的に高く支持するために靴底の下面に固定された部材を指す。
第１の発明によれば、踵部材の中空部に封入された複数の装飾部材によって立体模様が構成されており、靴が揺れると装飾部材が動き、その配置が変化することによって立体模様が変化する。踵部材は、少なくとも一部が透明であるから、装飾部材により構成される立体模様の変化を、踵部材の外部から透かして見ることができる。
【０００６】
第２の発明は、第１の発明に記載の靴であって、前記踵部材は、前記靴の前後方向に沿うように形成されており、前記踵部材のつま先側は相対的に薄く、踵側になるにしたがって相対的に厚くなっていることを特徴とする靴である。
第２の発明によれば、踵部材を靴の前後方向に沿うように形成することにより、より大きな踵部材を形成することができ、より大きな中空部を設けることが可能となる。その結果、装飾部材の可動範囲をより広く確保することができ、装飾部材によって構成される立体模様がより大きく変化し得る。あるいは、装飾部材をより多く封入することができ、装飾部材の配置パターンが豊富になることによって、立体模様がさまざまに変化し得る。
【０００７】
第３の発明は、第１の発明または第２の発明に記載の靴であって、前記踵部材の上部には、前記中空部に連続する開口部が設けられており、前記開口部の縁は、前記靴底の下面に接着されており、前記靴底により前記開口部が塞がれていることを特徴とする靴である。
第３の発明によれば、開口部から中空部に装飾部材を入れておき、開口部の縁を靴底の下面に接着して開口部を塞ぐことによって、容易に中空部に装飾部材を封じ込めることができる。
【０００８】
第４の発明は、第１の発明から第３の発明までのいずれか１項に記載の靴であって、前記装飾部材は、有色な芯部と、前記芯部を覆う透明な表皮部とからなる粒状体であることを特徴とする靴である。
第４の発明によれば、表皮部が透明であるから、有色な芯部が浮かび上がっているような装飾効果を奏する。
【０００９】
第５の発明は、第４の発明に記載の靴であって、前記複数の装飾部材は、異なる色の芯部の装飾部材をも含むことを特徴とする靴である。
第５の発明によれば、芯部の色が異なる複数の装飾部材によって立体模様が構成されるため、その変化がはっきりと分かる。
【００１０】
第６の発明は、第４の発明または第５の発明に記載の靴であって、前記表皮部の外形が多面体であることを特徴とする靴である。
第６の発明によれば、表皮部における光の反射や屈折により、見る角度によって装飾部材の見え方が変化し得る。
【発明の効果】
【００１１】
第１の発明の靴によれば、靴を履いた人が歩くたびに踵部材の中空部に封入された装飾部材が動き、その立体模様が変化する。それによって、靴の外観が変化する。
第２の発明の靴によれば、第１の発明の効果とともに、より大きな中空部を設けることができる。その結果、装飾部材の可動範囲をより広く確保することが可能となり、装飾部材によって構成される立体模様がより大きく変化し得る。あるいは、装飾部材をより多く封入することができ、装飾部材の配置パターンが豊富になることによって、立体模様がさまざまに変化し得る。
第３の発明の靴によれば、第１の発明または第２の発明の効果とともに、中空部に装飾部材を封じ込めるのが容易である。
第４の発明の靴によれば、第１の発明から第３の発明までのいずれか１項の効果とともに、芯部が浮かび上がっているような装飾効果を奏する。
第５の発明の靴によれば、第４の発明の効果とともに、装飾部材が構成する立体模様の変化がはっきりと分かる。
第６の発明の靴によれば、第４の発明または第５の発明の効果とともに、見る角度によって装飾部材の見え方が変化し得る。
【発明を実施するための最良の形態】
【００１２】
以下、図面を参照しながら、本発明を実施するための最良の形態について説明する。
図１は、本発明の実施の形態に係る靴の正面図であり、図２は、本発明の実施の形態に係る靴の右側面図である。図３は、図１に示す靴のＡ−Ａ断面図であり、図４は、図２に示す靴のＢ−Ｂ断面図である。図５（Ａ）は、本発明の実施の形態に係る装飾部材の正面図であり、図５（Ｂ）は、図５（Ａ）に示す装飾部材のＣ−Ｃ断面図である。ただし、図１から図４においては、装飾部材の外形は省略して球状で示している。
【００１３】
靴１は、つま先側は相対的に低く、踵側は相対的に高くなるように傾斜した靴底１１を備えており、靴底１１の下面には、踵側を相対的に高く支持する踵部材２１が固定されている。
【００１４】
具体的には、本実施の形態において、「靴底」は中底１１に対応しており、図４に示すように、中底１１は、つま先側は相対的に低く、踵側は相対的に高くなるように傾斜が設けられている。中底１１の踵側の下面には、踵部材２１が固定されており、それによって、中底１１は、踵側が相対的に高く支持されている。図１に示すように、靴１は、中底１１の上方において、足の甲を引っ掛けるためのバンド３と、足首を固定するためのストラップ５とを備えた、いわゆるサンダルである。
【００１５】
踵部材２１は、中空部２３を有する少なくとも一部が透明な部材であり、中空部２３には、複数の装飾部材３１が可動自在に封入されており、装飾部材３１が動き、その配置が変化することによって、装飾部材３１によって構成される立体模様が変化し得る。
【００１６】
具体的には、踵部材２１は、無色透明なプラスチックからなり、図３及び図４に示すように、踵部材２１には中空部２３が設けられている。中空部２３には複数の装飾部材３１が封入されており、装飾部材３１は、その相互の位置関係により立体模様を構成している。踵部材２１が透明であるから、中空部２３に封入されている装飾部材３１により構成される立体模様を、踵部材１１の外部から透かして見ることができる(図１及び図２参照)。靴１が揺れると、装飾部材３１が動き、その配置が変化することによって、立体模様が変化する。したがって、靴１を履いて歩くと、一歩毎に靴１が揺れて装飾部材３１の構成する立体模様が変化する。また、装飾部材３１が動くと、装飾部材３１同士、あるいは、装飾部材３１と踵部材１１の内壁２４とが接触することにより音が生じ、歩行に楽しみを添える。
尚、踵部材２１は、少なくとも一部が透明であればよく、中空部２３内を透かしてみることができれば、無色透明に限らず、有色透明あるいは半透明等でもよい。
【００１７】
踵部材２１は、靴１の前後方向に沿うように形成されており、踵部材２１のつま先側は相対的に薄く、踵側になるにしたがって相対的に厚くなっている。
【００１８】
具体的には、図１に示すように、踵部材２１は、その底部２２がほぼ平らであって、つま先側が相対的に薄く、踵側になるにしたがって相対的に厚く、上部は中底１１の下面において前後方向に沿うように形成されている。踵部材２１は、中底１１の下面の踵側において、前後方向に渡って備え付けられている。踵部材２１の底部２２のつま先側には凹段部２７が設けられており、中底１１のつま先側の下面に滑らかに続いている。中底１１のつま先側の下面と凹段部２７を覆うように、ゴム製の薄板状の本底７が固定されている。踵部材２１の底部２２の踵側には、化粧革９を固定するための柱状の孔部２８ａ，２８ｂ（図３参照），２８ｃが設けられている。化粧革９は、突起１０ａ，１０ｂ，１０ｃを有する合成樹脂製の板片状の部材である。突起１０ａ，１０ｂ，１０ｃがそれぞれ孔部２８ａ，２８ｂ，２８ｃに嵌め込まれ、化粧革９が踵部材２１の下面に固定されている。ここで、突起１０ａ，１０ｂ，１０ｃと孔部２８ａ，２８ｂ，２８ｃの数は限定されず、４組以上あってもよい。歩行時に地面に接するのは、本底７と化粧革９である。
尚、バンド３及びストラップ５は、中底１１の上方において左右方向に渡って設けられており、末端が中底１１の下面に固定されている。
【００１９】
踵部材２１に内設された中空部２３は、踵部材２１のほぼ外形に沿った形状である。踵部材２１を靴１の前後方向に沿うように形成することにより、より大きな中空部を設けることが可能であり、装飾部材３１の可動範囲がより広く確保される。そのため、装飾部材３１によって構成される立体模様がより大きく変化し得る。あるいは、装飾部材３１をより多く封入することができ、装飾部材３１の配置パターンが豊富になることによって、立体模様がさまざまに変化し得る。
【００２０】
図３および図４に示すように、踵部材２１の上部には、中空部２３に連続する開口部２５が設けられており、開口部２５の縁２６は、中底１１の下面に接着されており、中底１１により開口部２５が塞がれている。
【００２１】
具体的には、開口部２５から中空部２３に装飾部材３１を入れておき、開口部の縁２６を中底１１の下面に接着し、開口部２５を塞ぐことができる。これにより、容易に中空部２３に装飾部材３１を封じ込めることができる。また、踵部材２１に蓋を設けず、中底１１が開口部２５の蓋を兼ねているため、踵部材２１により大きな中空部２３を設けることができる。尚、踵部材２１は、透明なプラスチックを用いて、射出成形法などの公知のプラスチック成形法にて成形することができる。
【００２２】
装飾部材３１は、有色な芯部３３と、芯部３３を覆う透明な表皮部３５とからなる粒状体である。
【００２３】
具体的には、図５（Ａ）及び図５（Ｂ）に示すように、装飾部材３１は、貫通孔３７を有するプラスチック製のビーズ状の粒状体であり、芯部３３と、芯部３３を覆う表皮部３５の二層構造となっている。芯部３３は有色であり、表皮部３５は無色透明であり、芯部３３を透かして見ることができる。したがって、芯部３３が浮き上がっているような装飾効果を奏する。尚、本発明において透明とは、芯部３３を透かして見ることができればよく、無色透明の他に、有色透明、若しくは半透明でもよく、さらに、金属箔状の小片等の装飾を含有していてもよい。
【００２４】
装飾部材３１の各個の大きさは特に限定されるものではなく、中空部２３に複数の装飾部材３１を可動自在に封入することができる大きさであればよい。中空部２３に封入される装飾部材３１の数は、２個以上であれば特に限定されないが、１０個以上であれば、装飾部材３１の配置パターンが豊富であり立体模様がさまざまに変化するため、より好ましい。本実施の形態においては、１３個の装飾部材３１が封入されている。
【００２５】
複数の装飾部材３１は、異なる色の芯部３３の装飾部材３１をも含む。すなわち、装飾部材３１のうち少なくとも１つは、芯部３３の色が他の装飾部材３１の芯部３３の色と異なる。
本実施の形態においては、１３個の装飾部材３１の芯部３３の色は全て異なっており、黄色、水色、黒色、紫色、濃桃色、淡桃色、青色、淡黄色、白色、橙色、赤色、黄緑色、茶色である。装飾部材３１の芯部３３の色が異なっていると、装飾部材３１が構成する立体模様の変化がはっきりと分かる。芯部３３の色は本実施の形態に限定されることなく、各種の色を使うことができ、単色に限らず、複数の色により模様が施されていてもよい。また、有色であれば、透明または半透明であってもよい。
【００２６】
表皮部３５の外形は、多面体である。
具体的には、図５に示すように、本実施の形態に係る装飾部材３１は、芯部３３が球状であり、表皮部３５の外形は、六角形と略五角形とからなる多面体である。表皮部３５において光の反射や屈折が生じることにより、見る角度によって装飾部材３１の見え方が変化し得る。したがって、装飾部材３１が動くことによって立体模様が変化するだけでなく、見る角度によって立体模様の見え方が変化し得る。
【００２７】
以上の構成の靴１によれば、踵部材２１の中空部２３に封入された装飾部材３１が歩くたびに動き、その立体模様が変化する。それによって、靴１の外観が変化する。
また、踵部材２１が靴１の前後方向に沿うように形成されているから、より大きな踵部材２１を形成することができ、より大きな中空部２３を設けることができる。その結果、装飾部材３１の可動範囲をより広く確保することが可能となり、装飾部材３１によって構成される立体模様がより大きく変化し得る。あるいは、装飾部材３１をより多く封入することができ、装飾部材３１の配置パターンが豊富になることによって、立体模様がさまざまに変化し得る。
しかも、踵部材２１の上部に開口部２５が設けられているから、中空部２３に装飾部材３１を封じ込めるのは容易である。
装飾部材３１においては、表皮部が透明であるから芯部が浮かび上がっているような装飾効果を奏しており、かつ、芯部３３の色が異なる複数の装飾部材３１によって立体模様が構成されるため、その立体模様の変化がはっきりと分かる。さらに、表皮部３５の外形が多面体であるから、見る角度によって装飾部材３１の見え方が変化し得る。
【００２８】
尚、踵部材２１は、一般にヒールと称されることもある。踵部材２１の形状は、本実施の形態に限定されるものではなく、例えば、靴底１１の後部に固定される略柱状のものであってもよい。
【００２９】
また、本発明に係る装飾部材の形状及び材質は、特に限定されるものではない。形状は、例えば、球状、柱状、錘状、星型などいかなる形状でもよく、材質は、プラスチックの他、ゴム、ガラスなど、いかなる材質でもよい。
【００３０】
靴底の厚さや材質は特に限定されるものではなない。例えば、中底としては、合成皮革、天然皮革、レザーボード、パルプボード等を使用することができ、本底としては、合成皮革、天然皮革、クレープ、合成ゴム、合成樹脂、スポンジ、ウレタン、ウッド、コルク、ジュート等を使用することができ、中間底材としては、合成皮革、天然皮革、ウレタン、合成樹脂等の公知の種々の材料を使用することができる。尚、一般に、中底はインソール、本底はアウトソール、中間底材はミッドソールと称されることもある。
【図面の簡単な説明】
【００３１】
【図１】本発明の実施の形態に係る靴の正面図である。
【図２】本発明の実施の形態に係る靴の右側面図である。
【図３】図１に示す靴のＡ−Ａ断面図である。
【図４】図２に示す靴のＢ−Ｂ断面図である。
【図５】（Ａ）は装飾部材の正面図であり、（Ｂ）は（Ａ）に示す装飾部材のＣ−Ｃ断面図である。
【符号の説明】
【００３２】
１    靴
１１  中底(靴底)
２１  踵部材
２３  中空部
２５  開口部
２６  開口部の縁
３１  装飾部材
３３  芯部
３５  表皮部
【図１】
2007185353.tif 000003
【図２】
2007185353.tif 000004
【図３】
2007185353.tif 000005
【図４】
2007185353.tif 000006
【図５】
2007185353.tif 000007